(57)【要約】  【課題】  特に、２枚貝を効率的に、かつ安価に養殖することができるとともに、運搬または使用中などに衝撃が加わったとしても養殖容器本体の破損の虞が少なく、さらには貝の成長にあった生活環境を供給することができる貝の養殖装置を提供する。  【解決手段】  稚貝および砂などが収容された状態で水中に配置され、上部に開口部２ａが形成された略腕状の発泡合成樹脂製の養殖容器本体２と、  養殖容器本体２の開口部２ａの周囲を囲繞するように配置され、上部に操作用開口４が形成された網状体６と、  網状体６に形成された操作用開口４を開け閉めする細紐８と、  養殖容器本体２を上下方向に連結するロープ状の紐体１２と、を備えたことを特徴としている。【選択図】  図３
2006325523.tif 000002
【特許請求の範囲】
【請求項１】
稚貝および砂などが収容された状態で水中に配置され、上部に開口部が形成された略腕状の発泡合成樹脂製の養殖容器本体と、
前記養殖容器本体の開口部の周囲を囲繞するように配置され、上部に操作用開口が形成された網状体と、
前記網状体に形成された前記操作用開口を開け閉めする細紐と、
前記養殖容器本体を上下方向に連結するロープ状の紐体と、を備えたことを特徴とする貝の養殖装置。
【請求項２】
前記網状体は、前記養殖容器本体の外径と略等しい径のリング状部材に保持されて筒状に拡開した姿勢で前記養殖容器本体の外方に着脱自在に取り付けられていることを特徴とする請求項１に記載の貝の養殖装置。
【請求項３】
前記養殖容器本体の前記開口部の外面に鍔部が形成され、この鍔部の下面に前記リング状部材の１つが移動不能に係止されることを特徴とする請求項２に記載の貝の養殖装置。
【請求項４】
前記養殖容器本体から下方に吊り下げられるロープ状の紐体の下方端部に、流れ止め用の錘が着脱自在に取り付けられることを特徴とする請求項１〜３のいずれかに記載の貝の養殖装置。
【請求項５】
前記養殖容器本体の底面側は、尻つぼみに形成され、この容器本体の複数個を上下方向に重ね合わせた場合に、上位の養殖容器本体の下部が下位の養殖容器本体の開口部内に収容されて多段に重ね合わされることを特徴とする請求項１〜４のいずれかに記載の貝の養殖装置。
【請求項６】
前記網状体は、網の目の大きさが大小異なるものが２種類以上用意され、稚貝の成長に伴ってこれらが使い分けられることを特徴とする請求項１または２に記載の貝の養殖装置。
【発明の詳細な説明】
【技術分野】
【０００１】
本発明は貝の養殖装置に関するものである。
【背景技術】
【０００２】
砂地で成長する貝を効率的に飼育する手段として、貝の生活環境となる砂地を人工的に形成した養殖装置による貝の養殖が各地で盛んに行なわれている。このような養殖を行なうことにより、例えば砂地のない海岸でも貝の養殖を産出的に行なうことができる。
【０００３】
これまで、特に２枚貝を養殖するには、養殖容器として例えば硬質プラスチック製の樽型容器が用いられ、この樽型容器が海中に沈められて、稚貝が養殖されていた。
ところで、貝の養殖に硬質プラスチック製の樽型容器を用いた場合には、海水での使用により、プラスチックの老廃化が進むとともに、波の影響などで海中の細かな粒子がぶつかって亀裂が生じ易く、場合によっては、容器としての体裁を残さないまでに破損され、結果として、成長した貝が逃げてしまうという問題があった。
【０００４】
また、従来の樽型の養殖装置は、コスト的にも高くなる問題もある。
【発明の開示】
【発明が解決しようとする課題】
【０００５】
本発明は、このような実情に鑑み、特に、２枚貝を効率的に、かつ安価に養殖することができるとともに、運搬または使用の途中で衝撃が加わったとしても養殖容器本体の破損の虞が少なく、さらには貝の成長に好ましい生活環境を供給することができる貝の養殖装置を提供することを目的としている。
【課題を解決するための手段】
【０００６】
上記目的を達成するための本発明に係る貝の養殖装置は、
稚貝および砂などが収容された状態で水中に配置され、上部に開口部が形成された略腕状の発泡合成樹脂製の養殖容器本体と、
前記養殖容器本体の開口部の周囲を囲繞するように配置され、上部に操作用開口が形成された網状体と、
前記網状体に形成された前記操作用開口を開け閉めする細紐と、
前記養殖容器本体を上下方向に連結するロープ状の紐体と、を備えたことを特徴としている。
【０００７】
このような構成の本発明によれば、軽量で持ち運びが便利であるとともに、海中で上下方向にいくつも連結して使用することが可能で、粒子などで衝撃力が加わったとしても破壊されるのを防止することができ、加えて安価に大量生産することが可能である。
【０００８】
さらに、前記網状体は、前記養殖容器本体の外径と略等しい径のリング状部材に保持されて筒状に拡開した姿勢で前記養殖容器本体の外方に着脱自在に取り付けられていることが好ましい。
【０００９】
このような構成であれば、網状体の養殖容器本体に対する取り付け取り外しが容易である。
また、前記養殖容器本体の前記開口部の外面に鍔部が形成され、この鍔部の下面に前記リング状部材の１つが移動不能に係止されることが好ましい。
【００１０】
このような構成であれば、網状体を養殖容器本体に移動不能に取り付けることができる。
さらに、本発明では、前記養殖容器本体から下方に吊り下げられるロープ状の紐体の下方端部に、流れ止め用の錘が着脱自在に取り付けられることが好ましい。
【００１１】
このような構成であれば、潮の流れが速くなったり波が大きくなったとしても、無理な姿勢で養殖容器本体が揺れ動いたり、上下反転したりすることを防止できる。
ここで、本発明では、前記養殖容器本体の底面側は、尻つぼみに形成され、この容器本体の複数個を上下方向に重ね合わせた場合に、上位の養殖容器本体の下部が下位の養殖容器本体の開口部内に収容されて多段に重ね合わされることが好ましい。
【００１２】
このような構成によれば、運搬・積載効率が向上するとともに、海から引き上げた場合あるいは陸上で管理する場合などに一箇所に積み重ねて保管することができる。
また、前記網状体は、網の目の大きさが大小異なるものが２種類以上用意され、稚貝の成長に伴ってこれらが使い分けられることが好ましい。
【００１３】
このような構成であれば、貝の成長を阻害することがないように、貝の成長に応じて網状体の網の目の大きさを変更することができる。したがって、十分貝が成長した段階では大きな網の目とし、これにより餌となるような海藻類などの侵入を積極的に促進するとともに、食べ残し、糞などの老廃物を積極的に排出することが可能になる。
【発明を実施するための最良の形態】
【００１４】
以下、図面を参照しながら本発明の実施例について説明する。
図１および図２は本発明の一実施例に係る貝の養殖装置を示したものである。
この養殖装置１０は、例えば発泡スチレン製で上部に開口２ａが形成された養殖容器本体２と、この養殖容器本体２の外側を囲繞するように装着され、上部に操作用開口４が形成されるとともに下部も開放された筒状の網状体６と、この網状体６に具備された上部の操作用開口４を開け閉めするのに使用される細紐８と、養殖容器本体２を上下方向に幾段にも連結するロープ状の紐体１２とを備えている。
【００１５】
網状体６の操作用開口４は、下方の養殖容器本体２内に、予め稚貝を砂とともにセットしたり、後に成長した貝を取り出したりするときに拡開される。よって、十分開くことができるように柔軟かつ変形自在になっている。
【００１６】
上記細紐８は、網状体６の操作用開口４を閉じたり開いたりするのに使用されるもので、適宜な長さを有し海中では軽く結ばれて操作用開口４が閉じた状態にされる。
このように、養殖装置１０を大別すれば、発泡合成樹脂製の養殖容器本体２と、合成樹脂製のネットを主体とした網状体ユニット１４との２つのユニットから構成されている。
【００１７】
養殖容器本体２は、適宜な肉厚を有し、上部に開口部２ａが形成された半割体、すなわち略腕状に形成されている。なお、この養殖容器本体２の上部周面に、切欠き部を設け、この切欠き部により側方からの水の流れを促進させても良い。また、養殖容器本体２の開口部２ａの外面には、鍔部２ｂが形成されている。このような養殖容器本体２は、発泡合成樹脂から形成されているので、適宜な弾性を有している。したがって、仮に側方に衝撃が加わったとしても、緩衝作用を発揮するので、亀裂、破損などを防止することができる。また、軽量で角部が存在しないので、海中でぶつかりあったり陸上で落下したりしても亀裂、破損などが生じることもない。
【００１８】
上記網状体ユニット１４は、養殖容器本体２の外面に密に装着できるように、２つのリング状部材１６，１６により胴部が形成されている。これら２つのリング状部材１６は、
養殖容器本体２の外径すなわち鍔部２ｂ直下の径と略同等に設定されている。そして、容器本体２の鍔部２ｂの下方に、下位のリング状部材１６が密に係止される。
【００１９】
ロープ状の紐体１２は、全体の荷重を支えるため比較的径が太く形成されている。そして、ロープ状の紐体１２は、２つのリング状部材１６，１６に結ばれて上下方向に配置されている。これにより、紐体１２の上側の端部１２ａを手に持って持ち上げた場合に、全体の荷重により網状体６のリング状部材１６，１６間が上下方向に引き伸ばされる。
【００２０】
細紐８には、荷重が作用しないため、比較的径が細く形成され、網状体６の操作用開口４を巾着状に閉じたり開いたりして使用される。なお、海中での使用が多いため、細紐８も樹脂製があることが好ましい。
【００２１】
リング状部材１６は、芯材がステンレスなどの耐食性に富んだ金属から形成されていることが好ましく、さらには芯材の外周にビニールなどが被膜されていることが好ましい。
このような各リング状部材１６は、両端部が接続されていない状態で網状体６の周囲を縫うように取り付けられた後に、適宜な継手部材により両端部が接続されている。
【００２２】
本実施例では、上記したような養殖容器本体２と網状体ユニット１４とを用意し、実際の使用に際しては図３に示したように、養殖装置１０上下方向に組付けられて使用される。そして、養殖容器本体２内に多数の稚貝を所定量の砂とともに埋入し、海中に投入する。なお、最下方の養殖装置１０の下端には、ロープ状の紐体１２に適宜な錘１８が取り付けられる。また、最上位の養殖装置１０の紐体１２は、イケス、浮き輪などに縛り付けられる。
【００２３】
本実施例では、最初に海中に投入する稚貝の数は一つの容器本体２内に比較的多く収容されていても良いが、貝が成長してくると個体の密度が大きくなるので、所定期間が経過したら、一旦、海水から引き上げ、１つの容器本体２内の固体数を減らすために他の容器本体内に移し換えることが好ましい。
【００２４】
このような振り分けを行ない個体を分散させる場合には、新たに使用する網状体ユニット１４の網状体６の網の目の大きさを数倍程度に大きなものに変更することが好ましい。このように網の目の大きさを変更すれば、水の流れが容器本体２内に十分行き渡るとともに、貝の餌になるような海藻類を容器本体２内に積極的に取り入れることができる。また、食べ残し、糞などの排出も促進される。
【００２５】
このような養殖装置１０で養殖する貝は、特に限定されるものではなく、種々の貝、特に２枚貝を好適に養殖することができる。
以上、本発明の一実施例について説明したが、本発明は上記実施例に何ら限定されない。例えば、養殖容器本体２の湾曲した壁体に小さな開口を設けても良い。さらには、発泡合成樹脂製の養殖容器本体２の全体の高さを調整するために、別体で発泡合成樹脂製のリング状を用意し、このリング部材容器本体２の上部に凹凸嵌合などにより着脱自在に組付けるようにしても良い。
【図面の簡単な説明】
【００２６】
【図１】図１は本発明の一実施例に係る貝の養殖装置の分解斜視図である。
【図２】図２は図１の養殖装置の構成要素を組み込んだ養殖装置の斜視図である。
【図３】図３は、本発明の一実施例による養殖装置の使用状況を示す側面図である。
【符号の説明】
【００２７】
２    養殖容器本体
２ａ  開口部
２ｂ  鍔部
４    操作用開口
６    網状体
８    細紐
１０  養殖装置
１２  ロープ状の紐体
１４  網状体ユニット
１６  リング状部材
１８  錘
【図１】
2006325523.tif 000003
【図２】
2006325523.tif 000004
【図３】
2006325523.tif 000005